(57)【要約】【課題】バリアングル液晶を有するデジタルカメラにタッチ液晶適用した場合でも好適なタッチ操作を得ること。【解決手段】バリアングル液晶を本体装着時は両側にタッチ操作用メニューを表示、バリアングルを開いたときは軸側から遠い側にメニューを表示する。これにより、バリアングル液晶の開と閉に応じて、電子機器本体をしっかりホールドした状態で、タッチ液晶の操作を素早く正確に行うことが可能となる。【選択図】図５
2017146631.tif 000002
【特許請求の範囲】
【請求項１】
バリアングル表示部と本体部を有する電子機器であって、
前記バリアングル表示部に設けられたタッチパネルと、
前記バリアングル表示部の前記本体部に対する位置を検知する検知手段と、
前記バリアングル表示部の第１の領域に表示情報を表示または、前記バリアングル表示部の第２の領域に前記表示情報を表示する表示制御手段と、を有し、
前記第１の領域は、前記バリアングル表示部と前記本体部の接続される側に設けられ、前記第２の領域は前記接続される側と離れた側に設けられ、
前記検知手段が、前記バリアングル表示部が前記本体部への収納位置である第１の位置であると検知した場合には、前記表示制御手段は前記第１の領域に前記表示情報を表示し、
前記検知手段が、前記バリアングル表示部が前記本体部から開いた状態である第２の位置であると検知した場合には、前記表示制御手段は前記第１の領域から前記第２の領域に前記表示情報を表示を変更することを特徴とする電子機器。
【請求項２】
前記バリアングル表示部が前記第２の位置であってロー・アングル撮影の位置である場合には、前記第２の領域は前記バリアングル表示部の上底側であり、
前記バリアングル表示部が前記第２の位置であってハイ・アングル撮影の位置である場合には、前記第２の領域は前記バリアングル表示部の下底側であり、
前記バリアングル表示部が前記第２の位置であって前記本体部と並行の撮影位置である場合には、前記第２の領域は前記接続される側と逆側の辺であることを特徴とする請求項１に記載の電子機器。
【請求項３】
バリアングル表示部と本体部を有する電子機器であって、
前記バリアングル表示部に設けられたタッチパネルと、
前記バリアングル表示部の前記本体部に対する位置を検知する検知手段と、
前記バリアングル表示部の第１の領域に表示情報を表示するとともに前記バリアングル表示部の第２の領域に表示情報の表示を行う表示制御手段と、を有し、
前記第１の領域は、前記バリアングル表示部と前記本体部の接続される側に設けられ、前記第２の領域は前記接続される側と離れた側に設けられ、
前記検知手段が、前記バリアングル表示部が前記本体部への収納位置である第１の位置であると検知した場合には、前記表示制御手段は前記第１の領域と前記第２の領域に表示情報を表示し、
前記検知手段が、前記バリアングル表示部が前記本体部から開いた状態である第２の位置であると検知した場合には、前記表示制御手段は前記第１の領域の表示情報を消去するとともに前記第２の領域に表示情報を表示することを特徴とする電子機器。
【請求項４】
前記バリアングル表示部が前記第２の位置であるとき、前記表示制御手段は、前記第２の領域に表示する前記表示情報を、複数列で表示する、縮小表示する、スクロール表示する、のうちのいずれかの表示を行うことを特徴とする請求項３に記載の電子機器。
【請求項５】
バリアングル表示部と本体部を有する電子機器の制御方法であって、
前記バリアングル表示部に設けられたタッチパネルと、
前記バリアングル表示部の前記本体部に対する位置を検知する検知工程と、
前記バリアングル表示部の第１の領域に表示情報を表示または、前記バリアングル表示部の第２の領域に前記表示情報の表示を行う表示制御工程と、を有し、
前記第１の領域は、前記バリアングル表示部と前記本体部の接続される側に設けられ、前記第２の領域は前記接続される側と離れた側に設けられ、
前記検知工程で、前記バリアングル表示部が前記本体部への収納位置である第１の位置であると検知した場合には、前記表示制御工程で、前記第１の領域に前記表示情報を表示し、
前記検知工程で、前記バリアングル表示部が前記本体部から開いた状態である第２の位置であると検知した場合には、前記表示制御工程で、前記第１の領域から前記第２の領域に前記表示情報を表示を変更することを特徴とする電子機器の制御方法。
【請求項６】
前記バリアングル表示部が前記第２の位置であってロー・アングル撮影の位置である場合には、前記第２の領域は前記バリアングル表示部の上底側であり、
前記バリアングル表示部が前記第２の位置であってハイ・アングル撮影の位置である場合には、前記第２の領域は前記バリアングル表示部の下底側であり、
前記バリアングル表示部が前記第２の位置であって前記本体部と並行の撮影位置である場合には、前記第２の領域は前記接続される側と逆側の辺であることを特徴とする請求項５に記載の電子機器の制御方法。
【請求項７】
バリアングル表示部と本体部を有する電子機器の制御方法であって、
前記バリアングル表示部に設けられたタッチパネルと、
前記バリアングル表示部の前記本体部に対する位置を検知する検知工程と、
前記バリアングル表示部の第１の領域に表示情報を表示するとともに前記バリアングル表示部の第２の領域に表示情報を表示する表示制御工程と、を有し、
前記第１の表示手段は、前記バリアングル表示部と前記本体部の接続される側に設けられ、前記第２の領域は前記接続される側と離れた側に設けられ、
前記検知工程で、前記バリアングル表示部が前記本体部への収納位置である第１の位置であると検知した場合には、前記表示制御工程で前記第１の領域と前記第２の領域に表示情報を表示し、
前記検知工程で、前記バリアングル表示部が前記本体部から開いた状態である第２の位置であると検知した場合には、前記表示制御工程で前記第１の領域の表示情報を消去するとともに前記第２の領域に表示情報を表示することを特徴とする電子機器の制御方法。
【請求項８】
前記バリアングル表示部が前記第２の位置であるとき、前記表示制御工程で、前記第２の領域に表示する前記表示情報を、複数列で表示する、縮小表示する、スクロール表示する、のうちのいずれかの表示を行うことを特徴とする請求項７に記載の電子機器の制御方法。
【請求項９】
請求項５に記載の制御方法をコンピュータで実行させるためのプログラム。
【請求項１０】
請求項７に記載の制御方法をコンピュータで実行させるためのプログラム。
【請求項１１】
請求項１０に記載のプログラムを格納したコンピュータで読み取り可能な記憶媒体。
【請求項１２】
請求項１１に記載のプログラムを格納したコンピュータで読み取り可能な記憶媒体。
【発明の詳細な説明】
【技術分野】
【０００１】
本発明は、タッチ操作が可能かつ可動可能なバリアングル・タイプの表示部を備えた電子機器、その制御方法及びプログラムに関する。
【背景技術】
【０００２】
近年、デジタルカメラ（デジカメ）やビデオカメラ等の撮影装置は、装置の設定や撮影画像の確認用に液晶表示部（ＬＣＤ）を備えている。
【０００３】
また、この液晶表示部には、「バリアングル」と呼ばれる、液晶表示部のみを翼のように開いて自由に角度を変えることが可能となっているものがある。バリアングルの角度調整によりロー・アングルまたはハイ・アングル撮影時の撮影対象の視認が可能である。
【０００４】
また、最近では、「ミラーレス一眼」と呼ばれる、光学ファインダーを備えず装置本体の液晶表示部のライブビューのみで撮影を行う撮影装置が登場している。このミラーレス一眼のライブビューを行う液晶表示部に上記バリアングルを備えた撮影装置も登場している。
【０００５】
また、デジカメにタッチ操作可能な液晶表示部（タッチ液晶パネル）を備え、装置の設定やタッチシャッター操作や撮影結果の確認などを行うことのできるデジカメも増え始めている。
【０００６】
さらに、最近ではミラーレス一眼で、ライブビューを行う液晶表示部にタッチ操作可能なタッチ液晶パネルを利用し、かつ該液晶表示部にバリアングルを備えている撮影装置も登場している。この撮影装置ではバリアングルを閉じた（本体に装着した）状態とバリアングルを開いた状態とで、同じ画面表示を提供している。
【０００７】
特許文献１には、バリアングルを備えた液晶表示部を有するデジタルカメラの記載がある。該液晶表示部はタッチ液晶パネルであり、本体収納時に本体背面にある操作スイッチと同じ機能をタッチ液晶パネルの操作キーとして切り換え表示を行う。バリアングルの開のときまたは、収納時で表示切り換えのときには通常メニューを表示する。表示の切り換えはタッチ液晶パネルのアイコンタッチで行うとの記載がある。
【先行技術文献】
【特許文献】
【０００８】
【特許文献１】特開２００８−３０５１４０号公報
【発明の概要】
【発明が解決しようとする課題】
【０００９】
一眼デジカメのタッチ液晶パネルの液晶表示部をバリアングルで構成した場合を考える。一眼デジカメは交換レンズ等のため重量がありカメラをしっかりグリップする必要がある。一眼デジカメをグリップした状態で指によるタッチ操作を行うために、液晶表示部の両脇にメニューを表示すると良いが、バリアングルを開くと、両脇のうちカメラ本体と接続される（軸）側はタッチし難くなる。
【００１０】
本発明はこのような点に鑑みてなされたもので、撮影装置の液晶表示部として、タッチ液晶パネルとバリアングルとを適用した場合、バリアングルにおけるライブビューや装置の設定のタッチ操作の操作性の向上を目的とする。
【課題を解決するための手段】
【００１１】
上記の目的を達成するために、本発明に係る電子機器は以下の構成を備える。即ち、
バリアングル表示部と本体部を有する電子機器であって、
前記バリアングル表示部に設けられたタッチパネルと、
前記バリアングル表示部の前記本体部に対する位置を検知する検知手段と、
前記バリアングル表示部の第１の領域に表示情報を表示または、前記バリアングル表示部の第２の領域に前記表示情報を表示する表示制御手段と、を有し、
前記第１の領域は、前記バリアングル表示部と前記本体部の接続される側に設けられ、前記第２の領域は前記接続される側と離れた側に設けられ、
前記検知手段が、前記バリアングル表示部が前記本体部への収納位置である第１の位置であると検知した場合には、前記表示制御手段は前記第１の領域に前記表示情報を表示し、
前記検知手段が、前記バリアングル表示部が前記本体部から開いた状態である第２の位置であると検知した場合には、前記表示制御手段は前記第１の領域から前記第２の領域に前記表示情報を表示を変更する。
【発明の効果】
【００１２】
本発明によれば、電子機器の液晶表示部をタッチ液晶パネルとバリアングルで構成した場合に、バリアングルの装置本体装着時には、液晶表示部の両側にメニューを表示することにより、両指で素早く正確なメニュー選択と決定を可能とする。またバリアングルを開いたときには、タッチし難い装置本体とバリアングルの接続側から離れた側にアイコン・メニューを表示する。これにより、操作者に、装置本体とバリアングルの接続側の手で電子機器本体をしっかり保持させながら、もう一方の手で正確なタッチ操作を行わせることができる。
【図面の簡単な説明】
【００１３】
【図１】撮影装置の外観を示す図である。
【図２】撮影装置におけるバリアングルの開状態を示す図である。
【図３】撮影装置を利用した撮影スタイル（通常、ロー・アングル、ハイ・アングル）を説明する図である。
【図４】本発明の実施形態における撮影装置のハードウェア構成例を示すブロック図である。
【図５】本発明の第１の実施形態における液晶表示部のバリアングルの状態（本体装着、バリアングル開）ごとの画面の表示状態を示す図である。
【図６】本発明の実施形態における撮影装置の基本動作（撮影待機と撮影動作）を示すフローチャート図である。
【図７】本発明の実施形態における液晶表示部のバリアングルの状態（本体装着、バリアングル開）を示すフローチャート図である。
【図８】本発明の実施形態における液晶表示部が本体装着状態におけるタッチ操作用の表示を示すフローチャート図である。
【図９】本発明の実施形態における液晶表示部がバリアングル開の状態におけるタッチ操作用の表示を示すフローチャートである。
【図１０】本発明の第２の実施形態における液晶表示部のバリアングルの状態（本体装着、バリアングル開）ごとの画面の表示状態を示す図である。
【図１１】本発明の第３の実施形態における液晶表示部のバリアングル開の状態の画面の表示状態を示す図である。
【発明を実施するための形態】
【００１４】
以下、本発明を実施するための最良の形態について、図面を参照して説明する。尚、説明文の符号について、特に断りがない限りは実施形態の共通または類似部分について共通の符号を付することで、重複説明を省略するものとする。
【００１５】
図１は本発明の電子機器の一実施形態としての撮影装置（一眼デジカメ）の外観図である。
【００１６】
図１において、（ａ）は撮影装置（一眼デジカメ）のレンズ側から見た外観図であり、（ｂ）はレンズ側の裏面の光学ファインダーとタッチ液晶表示部側から見た外観図である。１００１は撮影装置（一眼デジカメ）の本体である。１００２は撮影装置１００１を手でホールドするためのグリップである。１００３は着脱可能な交換レンズである。１００４は撮影を行うシャッターボタンである。１００５は撮影対象を見る光学ファインダーである。１００６はタッチ操作可能な液晶パネル（タッチ操作表示部）である。１００７と１００８は撮影装置（一眼デジカメ）の設定を行うメカニカル・スイッチである。本発明の撮影装置はデジタルカメラまたはビデオカメラとして機能することが可能である。液晶パネル１００６はバリアングル可能であり、図１では撮影装置本体の収納位置（バリアングル閉の位置）にある。
【００１７】
図２は本実施の撮影装置（一眼デジカメ）におけるバリアングルの開状態を示す外観図である。
【００１８】
図２において、図１のタッチ操作可能な液晶パネル（タッチ操作表示部）１００６がバリアングル液晶として、図１の本体装着状態から翼のように開いた状態を示している。図１との違いはバリアングル（タッチ操作表示部）１００６が、図１では撮影装置本体１００１に装着状態であったが、図２では翼のように開いた状態を示している。バリアングル（タッチ操作表示部）１００６は翼のように開いた状態で角度を自在に変えることが可能となっている。
【００１９】
尚、本実施形態において、タッチ操作表示部とバリアングルは特に断りがない限り、同じ１００６を指すものとする。また、バリアングル、バリアングル液晶、バリアングル表示部のいずれも同じ１００６を意味するものとする。またバリアングル１００６が開いている場合に撮影装置１００１を撮影装置本体、本体部と呼ぶ場合もある。
【００２０】
図３は本発明の撮影装置を利用した撮影スタイルを説明する図である。
【００２１】
図３の（ａ）は通常の撮影スタイルであり、本体に装着したバリアングル（タッチ操作表示部）１００６でライブビューを見ながら撮影する。図３の（ｂ）はロー・アングル撮影時の撮影スタイルである。バリアングル（タッチ操作表示部）１００６の角度を変えることにより撮影装置１００１をロー・アングルに構えつつ、ライブビュー画面により撮影対象を確認しながらの撮影が可能となる。図３の（ｃ）はハイ・アングル撮影時の撮影スタイルである。図３の（ｃ）はバリアングル液晶（タッチ操作表示部）１００６の角度を変えることにより撮影装置１００１をハイ・アングルに構えつつ、ライブビュー画面により撮影対象を確認しながらの撮影が可能となる。
【００２２】
図４は本実施形態における撮影装置（一眼デジカメ）１００１の構成例を示すブロック図である。尚、本発明の撮影装置はデジタルカメラまたはビデオカメラとして機能することが可能である。
【００２３】
図３において３００１は交換可能なフォーカスレンズを含む撮影レンズ、３００２は絞り機能を有するシャッターである。尚、レンズ３００１は、図１における１００３に対応している。３００３は、レンズ３００１を操作することによるＡＦ（オートフォーカス）機能と光学像を電気信号に変換するＣＣＤやＣＭＯＳ素子等とを有する撮像部である。３００４はＡ／Ｄ変換器でありアナログ信号をデジタル信号へ変換する。Ａ／Ｄ変換器３００４は、撮像部３００３から出力されるアナログ信号をデジタル信号へ変換するために用いられる。
【００２４】
３００５は画像処理部であり、Ａ／Ｄ変換器３００４からのデータ、または、メモリ制御部３００７からのデータに対し所定の画素補間、縮小といったリサイズ処理や色変換処理を行う。また、画像処理部３００５では、撮像した画像データを用いて所定の演算処理が行われ、得られた演算結果に基づいてシステム制御部３０１３が露光制御、測距制御をおこなう。これにより、レンズ３００１と撮影部３００２を駆動することによるＡＦ（オートフォーカス）処理、ＡＥ（自動露出処理）、ＥＦ（フラッシュプリ発光）処理が行われる。画像処理部３００５では更に、撮像した画像データを用いて所定の演算処理を行い、得られた演算結果に基づいてＴＴＬ方式のＡＷＢ（オートホワイトバランス）処理も行っている。
【００２５】
１００６はタッチ操作可能なタッチ操作表示部である。タッチ操作表示部１００６はタッチ操作を検知するタッチ操作部３０１１と表示を行う液晶表示部３０１０で構成され、１枚の表示パネル（タッチ液晶パネル）で提供される。タッチ操作表示部１００６は装置のユーザインターフェースを提供する。
【００２６】
Ａ／Ｄ変換機３００４からの出力データは、画像処理部３００５およびメモリ制御部３００７を介して、あるいは、メモリ制御部３００７を介してメモリ３００８に直接書き込まれる。メモリ３００８は、撮像部３００３によって得られＡ／Ｄ変換器３００４によりデジタルデータに変換された画像データや、液晶表示部３０１０に表示するための画像データを格納する。メモリ３００８は、所定枚数の静止画像や所定時間の動画像および音声を格納するのに十分な記憶容量を備えている。液晶表示部３０１０に撮像している画像データをリアルタイムで表示することによりライブビュー機能を適用する。
【００２７】
また、メモリ３００８は画像表示用のビデオメモリを兼ねている。３００６はＤ／Ａ変換機であり、メモリ３００８に格納されている画像表示用のデータをアナログ信号に変換して液晶表示部３０１０に供給する。こうして、メモリ３００８に書き込まれた表示用の画像データはＤ／Ａ変換機３００６を介して液晶表示部３０１０により表示される。液晶表示部３０１０は、タッチ操作部３０１１と１枚の表示パネルで構成されるタッチ操作可表示部１００６として、Ｄ／Ａ変換器３００６からのアナログ信号に応じた表示を行う。
【００２８】
不揮発性メモリ３０１５は、電気的に消去可能なメモリであり、例えばＥＥＰＲＯＭ等が用いられる。不揮発性メモリ３０１５には、システム制御部３０１３の動作用のパラメータ、ファームウェア・プログラム等が記憶される。ここでいうファームウェア・プログラムとは、本発明の実施形態で説明する各種フローチャートをプロセッサが実行するためのプログラムのことである。
【００２９】
３０１３はシステム制御部であり、撮影装置（一眼デジカメ）１００１全体を制御するプロセッサである。前述した不揮発性メモリ３０１５に記憶されたファームウェア・プログラムを実行することで、後述する本発明の実施形態を実現する。３０１６はシステムメモリであり、ＲＡＭが用いられる。システムメモリ３０１６はシステム制御部３０１３がワークエリアとして利用する。システムメモリ３０１６には、システム制御部３０１３の動作用のパラメータ、不揮発性メモリ３０１５から読み出したプログラム等を展開する。また、システム制御部３０１３はメモリ３００８、Ｄ／Ａ変換器３００６、タッチ操作表示部１００６等を制御することにより表示制御、タッチ入力制御も行う。
【００３０】
タッチ操作部３０１１、メカニカルＳＷ（スイッチ）３０２２、第１シャッター３０２１、第２シャッター３０２１はシステム制御部３０１３に各種の動作の指示を入力するための操作手段である。第１シャッタースイッチ３０２１は撮影装置（一眼デジカメ）１００１に設けられたシャッターボタン１００４の操作途中、いわゆる半押し（撮影準備動作指示）でＯＮとなり第１シャッタースイッチ信号ＳＷ１を発生する。第１シャッタースイッチ信号ＳＷ１により、ＡＦ（オ―トフォーカス）処理、ＥＦ（フラッシュプリ発行）処理等の動作（以下、これらのうち少なくとも一つを撮影準備動作と称する）を開始する。これらの処理はシステム制御部３０１３の制御によって行われる。
【００３１】
第２シャッタースイッチ３０２０は、シャッターボタン１００４の操作完了、いわゆる全押し（撮影指示）でＯＮとなり、第２シャッタースイッチ信号ＳＷ２を発生する。システム制御部３０１３は、第２シャッタースイッチ信号ＳＷ２により、撮像部３００３からの信号読み出しから記録媒体３０１７に画像データを書き込むまでの一連の撮影処理の動作を開始する。
【００３２】
メカニカルＳＷ３０２２またはタッチ操作部３０１１の操作により、システム制御部３０１３の動作モードを静止画および動画を記録可能な撮影モード、再生モード等のいずれかに切り替える。また、タッチ操作部３０１１の操作により、液晶表示部３０１０に表示される種々の機能アイコンをタッチ操作により選択操作する。このタッチ操作については後で詳細に説明する。また、メカニカルＳＷ３０２２の操作により、液晶表示部３０１０に表示される種々の機能アイコンを選択操作することにより、場面ごとに適宜機能が割り当てられ、各種機能ボタンとして作用する。例えば終了ボタン、戻るボタン、画像送りボタン、ジャンプボタン、絞込みボタン、属性変更ボタン等がある。例えば、メニューボタンが押されると各種の設定可能なメニュー画面が液晶表示部３０１０に表示される。操作者は、液晶表示部３０１０に表示されたメニュー画面と方向キーやＳＥＴボタンを用いて各種設定を行う。
【００３３】
尚、メカニカルＳＷ３０２２またはタッチ操作部３０１１は同等の操作設定を可能であるが、メカニカルＳＷを廃して、後述するタッチ操作部３０１１による操作設定のみとする構成にしても良い。尚、メカニカルＳＷ３０２２は、図１では１００７または１００８が対応する。
【００３４】
３０２３はバリアングル状態検出部である。バリアングル状態検出部３０２３はバリアングル（タッチ操作表示部）１００６が本体装着状態（図１）であるか、バリアングル開の状態（図２）であるかを検知する。また、バリアングル状態検出部３０２３は、バリアングル開の状態（図２）におけるバリアングルの角度（図３の説明参照）を検出する。システム制御部３０１３は、バリアングル状態検出部３０２３が検出するバリアングル（タッチ操作表示部）１００６の状態に対応して、液晶表示部３０１０の表示を変更する。
【００３５】
３０１８は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部３０１８は、その検出結果及びシステム制御部３０１３の指示に基づいてＤＣ−ＤＣコンバータを制御し、必要な電圧を必要な期間、記録媒体３０１７を含む各部へ供給する。
【００３６】
３０１４は電源部であり、アルカリ電池やリチウム電池等の一次電池やＮｉＣｄ電池やＮｉＭＨ電池、Ｌｉ電池等の二次電池、ＡＣアダプタ等からなる。３０１２はメモリカードやハードディスク等の記録媒体３０１７とのインターフェースである。記録媒体３０１７は、メモリカード等の記録媒体であり、半導体メモリや磁気ディスク等から構成される。
【００３７】
タッチ操作表示部１００６は、液晶表示部３０１０に対するタッチ操作を検出可能なタッチ操作部（タッチパネル）３０１１を有する。タッチ操作表示部１００６は、タッチ操作部３０１１と液晶表示部３０１０とで一体的に構成されている。例えば、タッチ操作部３０１１を光の透過率が液晶表示部３０１０の表示を妨げないように構成し、液晶表示部３０１０の表示面の上層に取り付ける。そして、タッチ操作部３０１１における入力座標と、液晶表示部３０１０上の表示座標とを対応付ける。これにより、あたかも操作者が液晶表示部３０１０上に表示された画面を直接操作可能であるかのようなＧＵＩを構成する。
【００３８】
システム制御部３０１３はタッチ操作部３０１１への以下の操作を検出できる。
・タッチ操作部３０１１を指やペンで触れたこと（以下、タッチダウンと呼ぶ）。
・タッチ操作部３０１１を指やペンで触れている状態であること（以下、タッチオンと呼ぶ）。
・タッチ操作部３０１１を指やペンで触れたまま移動していること（以下、ムーブと呼ぶ）。
・タッチ操作部３０１１を指やペンで触れたまま素早く払うように移動すること（以下、フリックと呼ぶ）。
・タッチ操作部３０１１へ触れていた指やペンを離したこと（以下、タッチアップと呼ぶ）。
・タッチ操作部３０１１に何も触れていない状態（以下、タッチオフと呼ぶ）。
・タッチ操作部３０１１に指やペンをタッチダウンしてから、ゆっくりと表示オブジェクトを移動させるようにムーブをした後、タッチアップをすること（以下、ドラッグと呼ぶ）。
【００３９】
タッチ操作部３０１１上に指やペンが触れている位置座標は内部バスを通じてシステム制御部３０１３に通知され、システム制御部３０１３は通知された情報に基づいてタッチ操作部３０１１上にどのような操作が行われたかを判定する。
【００４０】
タッチ操作部３０１１は、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００４１】
＜第１の実施形態＞
第１の実施形態におけるバリアングルの状態による表示方法について説明する。
図５は本実施形態における液晶表示部のバリアングルの状態（本体装着、バリアングル開）ごとの画面の表示状態を示す図である。
【００４２】
図５の（ａ）は、バリアングル（タッチ操作表示部）１００６が撮影装置本体１００１に装着された状態におけるタッチ操作表示部（タッチ操作可能な液晶パネル）に対する両手指によるタッチ操作を示している。
【００４３】
タッチ操作表示部１００６の画面の左側の領域と右側の領域にそれぞれメニューアイコン５１０１と５１０２を表示している。操作者は、この左側のメニューアイコン５１０１と右側のメニューアイコン５１０２に対してタッチ操作を行い、撮影設定や装置の設定を行う。メニューアイコンは表示情報に相当する。
【００４４】
図５の（ｂ）は、バリアングル（タッチ操作表示部）１００６が撮影装置本体１００１から翼のように開かれた状態におけるタッチ操作表示部（タッチ操作可能な液晶パネル）に対するタッチ操作を示している。バリアングル開状態の撮影位置では、右手は撮影装置本体１００１を右手でホールドしつつ左手でバリアングル１００６でメニューアイコン操作を行い撮影設定の変更などを行う。
【００４５】
図５の（ａ）のバリアングル（タッチ操作表示部）１００６が撮影装置本体に装着された状態（バリアングル閉の状態）では、操作者は両手の指でタッチ操作を行う。それに対し、図５の（ｂ）のバリアングル開の状態では、撮影装置本体１００１とバリアングル１００６を接続する軸に近い液晶面はタッチ操作がし難くなる。これは撮影装置１００１をホールドした状態では指の動かせる範囲が制限されるためである。
【００４６】
そこで本実施形態では、バリアングル開状態では、撮影装置本体１００１とバリアングル１００６を接続する軸に近い右側のタッチメニュー５１０２を消去している。操作者は右手でのホールド状態を保ちながら、比較的自由度のある左手の指による左側のタッチメニュー５１０１を利用して、撮影設定や装置の設定を行うことが可能となる。
【００４７】
図６は本実施形態における撮影装置（一眼デジカメ）の基本動作（撮影待機と撮影動作）を示すフローチャート図である。
【００４８】
尚、各ステップの動作の主体はシステム制御部３０１３であり、すなわち撮影装置全体を制御するプロセッサが行う。
【００４９】
Ｓ６０１は撮影モードの開始である。操作者によるメカニカルＳＷ１００７による装置の電源オンや、メカニカルＳＷ１００７やタッチ操作表示部１００６による撮影装置（一眼デジカメ）に対するモード選択により撮影モードへ移行する。
【００５０】
Ｓ６０２は撮影待機状態である。操作者が撮影装置（一眼デジカメ）を手で持ち、シャッターチャンスを伺う状態である。
【００５１】
Ｓ６０３はタッチ操作表示部１００６で、操作者が例えば図５で示すようなタッチ操作を行った場合の処理を表す。Ｓ６０３の処理は図７、図８、図９を用いて後で詳細に説明する。
【００５２】
Ｓ６０４は撮影処理である。操作者がシャッターボタン１００４（第１シャッタースイッチ３０２１、第２シャッタースイッチ３０２０）の操作により静止画または動画の撮影を行う。
【００５３】
Ｓ６０５は終了判定処理である。ＹＥＳの場合は撮影モードを終了するＳ６０６、ＮＯと判定された場合はＳ６０２へ飛ぶ。Ｓ６０５の終了判定処理では、操作者によるメカニカルＳＷ１００７やタッチ操作表示部１００６によるモード選択による撮影モードの終了または装置の電源オフかどうかで終了判定を行う。またはＳ６０５の終了判定処理では、操作者による操作の他に、一定時間操作がなかったことによるスリープモード（スタンバイモード）への移行でも撮影モードの終了と判断する。
【００５４】
図７は本実施形態における液晶表示部のバリアングルの状態（本体装着、バリアングル開）を示すフローチャート図である。尚、各ステップの動作の主体はシステム制御部３０１３であり、すなわち撮影装置全体を制御するプロセッサが行う。
【００５５】
Ｓ７０１はタッチ操作表示部（バリアングル）１００６の状態チェックの開始である。
【００５６】
Ｓ７０２はタッチ操作表示部（バリアングル）１００６が表示モードであるかないかを判断する。表示モードでない場合とは、操作者の措置設定により表示が意図的にオフ（非表示）に設定されている場合、あるいは節電モードでタイマなどにより表示が消えている場合などがある。ＹＥＳであればＳ７０３に進み、ＮＯの場合はＳ７０６へ進む。
【００５７】
Ｓ７０３はタッチ操作表示部（バリアングル）１００６が開状態位置であるかを判断する。ＹＥＳであればＳ７０４へ進み、ＮＯであればＳ７０５へ進む。
【００５８】
Ｓ７０４はタッチ操作表示部１００６をバリアングルモード（バリアングル開状態）で表示を行う。Ｓ７０４のバリアングルモードの表示の詳細は後述（図９の説明）する。Ｓ７０４の処理が終わるとＳ７０６へ進む。
【００５９】
Ｓ７０５はタッチ操作表示部（バリアングル）１００６を本体装着モードで表示を行う。尚、Ｓ７０５の本体装着モードの表示の詳細は後述（図８の説明）する。
【００６０】
Ｓ７０６ではタッチ操作表示部（バリアングル）１００６の状態チェックの処理を終了する。
【００６１】
図８は本実施形態における液晶表示部（バリアングル）が本体装着状態（バリアングル閉状態）におけるタッチ操作用の表示を示すフローチャート図である。尚、各ステップの動作の主体はシステム制御部３０１３であり、すなわち撮影装置全体を制御するプロセッサが行う。
【００６２】
Ｓ８０１は液晶表示部（バリアングル）が本体装着状態におけるタッチ操作用の表示の処理開始である。
【００６３】
Ｓ８０２はタッチ操作表示部（バリアングル）１００６の表示をリセットして画面の初期化を行う。
【００６４】
Ｓ８０３では、例えば図５の（ａ）のように、画面の両側にメニューアイコンの表示を行う。
【００６５】
Ｓ８０４では画面の左側のメニューアイコンの１つがタッチされたかを判定する。Ｓ８０４は、例えば図５の（ａ）のメニューアイコン５１０１のいずれか１つがタッチ操作されたかを判断する。ＹＥＳであればＳ８０６へ進み、ＮＯであればＳ８０５へ進む。
【００６６】
Ｓ８０５は、例えば図５の（ａ）のメニューアイコン５０１２のいずれか１つがタッチされたかを判断する。ＹＥＳであればＳ８０６へ進み、ＮＯであればＳ８０３へ戻る。
【００６７】
Ｓ８０６は、Ｓ８０４またはＳ８０５で決定された撮影モードを決定し実行し、Ｓ８０７へ進む。Ｓ８０７では本体装着状態におけるタッチ操作用の表示の処理を終了する。
【００６８】
図９は本実施形態における液晶表示部がバリアングル開の状態におけるタッチ操作用の表示を示すフローチャートである。尚、各ステップの動作の主体はシステム制御部３０１３であり、すなわち撮影装置全体を制御するプロセッサが行う。
【００６９】
Ｓ９０１はバリアングル開の状態におけるタッチ操作用の表示処理の開始である。
【００７０】
Ｓ９０２は開状態のバリアングル（タッチ操作表示部）１００６が反転位置であるかを判断する。バリアングル開状態の通常位置は図２の状態である。バリアングルの反転位置とは、バリアングル１００６の液晶表示部がレンズ１００３側に表示面を向けた状態（不図示）のことである。Ｓ９０２でＹＥＳであればＳ９０４へ進み、ＮＯであればＳ９０３へ進む。
【００７１】
Ｓ９０３では、バリアングル開状態であるのに対応してメニューアイコン表示位置を変更する。具体的には５１０１を表示し、５１０２を消去する。これは図５の説明に対応する動作である。即ち、バリアングル開状態では、表示部において、操作者がタッチ操作し難い撮影装置本体とバリアングルの接続側に近い側のメニューアイコンを消し、該接続側から離れた側にアイコン・メニューを表示することになる。即ち、撮影装置本体とバリアングルの接続側とは逆側の表示部の辺にメニューアイコンを表示する。Ｓ９０３の表示変更処理が終わるとＳ９０５へ進む。
【００７２】
Ｓ９０４はバリアングルが反転位置において表示の天地を反転する。これは上述したバリアングルの反転位置が、通常位置の図２に対して物理的に天地が逆になるためである。Ｓ９０４の処理が終わるとＳ９０６へ進む。
【００７３】
Ｓ９０５はメニューアイコン５１０１のいずれか１つがタッチ操作されたかを判断する。ＹＥＳであればＳ９０７へ進み、ＮＯであればＳ９０３へ戻る。
【００７４】
Ｓ９０６はメニューアイコン５１０１のいずれか１つがタッチ操作されたかを判断する。ＹＥＳであればＳ９０８へ進み、ＮＯであればＳ９０４へ戻る。
【００７５】
Ｓ９０７はＳ９０５で選択された撮影モードを決定しＳ９０９へ進む。
【００７６】
Ｓ９０８はＳ９０６で選択された撮影モードを決定しＳ９０９へ進む。
【００７７】
Ｓ９０９ではバリアングル開の状態におけるタッチ操作用の表示処理を終了する。
【００７８】
＜第２の実施形態＞
次に、第２の実施形態における、バリアングルの状態による表示変更の方法について説明する。
【００７９】
第１の実施形態では、バリアングルが本体装着状態（バリアングル閉状態）ではタッチ操作表示部の両側にメニューアイコンを表示していた。そして、バリアングルが開状態では、操作者のタッチ操作がし難くなる、バリアングルと撮影装置を接続する軸側のメニューアイコンを消していた。しかし、一部のメニューアイコンを消してしまうことで、バリアングルで撮影対象の映像をリアルタイムで見ながら、素早く撮影モードを変更する場合に、変更可能な撮影モードが減ってしまう。本実施形態は、操作者のタッチ操作がし難い側へのメニューアイコン表示を避けながら、かつ、操作可能なメニューアイコン数を減らさないというものである。
【００８０】
図１０は本実施形態における液晶表示部のバリアングルの状態（本体装着、及び、バリアングル開）ごとの画面の表示状態を示す図である。
【００８１】
図１０の（ａ）は第１の実施形態におけるバリアングルが本体装着状態（図５の（ａ））と同じため、説明を省略する。１００１は撮影装置本体、１００６はバリアングル（タッチ操作表示部）、５１０１と５１０２はメニューアイコンである。
【００８２】
図１０の（ｂ）は図１０の（ａ）からバリアングル１００６を開いたときの本実施形態における画面の表示状態を示している。図１０の（ｂ）では、バリアングルと撮影装置の接続軸側に近いアイコン５１０２を消すのは第１の実施形態（図５参照）と同様である。図５の（ｂ）では左側のメニューアイコン１０２０１をタッチ操作で上下にスクロール可能として、バリアングルを開くことで消したメニューアイコン５１０２の分を、左側のメニューアイコン１０２０１をスクロール表示して選択可能としている。尚、１０２０１のアイコン群の上下にある三角記号と逆三角記号はスクロール可能であることを示している。
【００８３】
図１０の（ｃ）は、第１の実施形態におけるバリアングルが本体装着状態の場合（図５の（ａ））と同様のため、説明を省略する。
【００８４】
図１０の（ｄ）は図１０の（ｃ）からバリアングル１００６を開いたときの本実施形態における画面の表示状態を示している。図１０の（ｄ）で、バリアングルと撮影装置の接続軸側に近いアイコン５１０２を消すのは第１の実施形態（図５参照）と同様である。図１０の（ｂ）では、左側メニューアイコン１０２０１をスクロール可能とすることで、バリアングルを開くことで消したメニューアイコン５１０２の分を補完していた。図１０の（ｄ）では消したメニューアイコン分を左側メニューアイコン１０４０１として２列に表示することで補っている。尚、図１０の（ｄ）ではアイコンサイズを変えずに表示しているが、アイコンを縮小表示してライブビューの表示面積を減らさないように構成しても良い。また、図１０の（ｄ）ではメニューアイコンを２列で表示しているが、それ以上の複数列で表示する構成としても良い。
【００８５】
＜第３の実施形態＞
次に、第３の実施形態における液晶表示部のバリアングル開の状態の画面の表示の変更方法について説明する。
【００８６】
第１の実施形態では、バリアングルが本体装着状態（バリアングル閉の状態）ではタッチ操作表示部の両側にメニューアイコンを表示していた。そして、バリアングルが開状態では、操作者がタッチ操作し難くなる、バリアングルと撮影装置を接続する軸側のメニューアイコンを消していた。また、第２の実施形態では、操作し難い側のメニューアイコンを消す替りに、表示される側のメニューアイコンの表示を増やして補完していた。
【００８７】
本実施形態は、バリアングルが開状態では、操作者がタッチ操作し難くなる、バリアングルと撮影装置を接続する軸側のメニューアイコンを、バリアングルの角度に応じた位置に移動させる表示変更の形態である。
【００８８】
図１１は本実施形態における液晶表示部のバリアングル開の状態の画面の表示状態を示す図である。バリアングル開の状態には、図３で説明したように、通常のアングルと、ロー・アングル、ハイ・アングルの状態がある。
【００８９】
図１１の（ａ）は本実施形態における、バリアングル１００６がハイ・アングル撮影時に適した角度にあるときにおける画面のメニューアイコンの表示状態を示している。図３の（ｃ）で説明したような撮影スタイルがハイ・アングル撮影である。この撮影状態に合わせて操作者がバリアングル１００６を見やすい角度に調整する。尚、他の実施形態と同様に、１００１は撮影装置本体、５１０１は左側のメニューアイコンである。１１１０１はハイ・アングル撮影用のメニューアイコンである。図５の（ａ）で右側のメニューアイコンであった５１０２を、本実施形態のハイ・アングル撮影のバリアングルの角度を検出することにより、ハイ・アングル撮影で操作者がタッチ操作し易い位置となるように１１１０１へ変更する。即ち、図１１の（ａ）ではメニューアイコンの位置を表示部の下底側に変更している。尚、上記ハイ・アングル撮影のバリアングルの角度の検出は、バリアングル状態検出部３０２３が検出し、ハイ・アングル撮影用のメニューアイコン１１１０１への表示変更はシステム制御部３０１３が行う。
【００９０】
図１１の（ｂ）は本実施形態における、バリアングル１００６がロー・アングル撮影時に適した角度にあるときにおける画面のメニューアイコンの表示状態を示している。図３の（ｂ）で説明したような撮影スタイルがハイ・アングル撮影である。この撮影状態に合わせて操作者がバリアングル１００６を見やすい角度に調整する。尚、他の実施形態と同様に、１００１は撮影装置本体、５１０１は左側のメニューアイコンである。１２１０１はロー・アングル撮影用のメニューアイコンである。図５の（ａ）で右側のメニューアイコンであった５１０２を、本実施形態のロー・アングル撮影のバリアングルの角度を検出することにより、ロー・アングル撮影で操作者がタッチ操作し易い位置となるようにメニューアイコンの表示を１２１０１へ変更する。即ち、図１１の（ｂ）ではメニューアイコンを表示部の上底側に変更している。尚、上記ハイ・アングル撮影のバリアングルの角度の検出は、バリアングル状態検出部３０２３が検出し、ハイ・アングル撮影用のメニューアイコン１２１０１への表示変更はシステム制御部３０１３が行う。
【００９１】
なお、システム制御部３０１３が行うものとして説明した上述の各種制御は１つのハードウェアが行ってもよいし、複数のハードウェアが処理を分担することで、装置全体の制御を行ってもよい。
【００９２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９３】
また、上述した実施形態においては、本発明を撮像に適用した場合を例にして説明したが、これはこの例に限定されず、タッチパネル式の表示部が回動可能に構成された電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００９４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１００１  撮影装置、１００２  グリップ、１００３  交換レンズ、
１００４  シャッターボタン、１００５  光学ファインダー、１００６  液晶パネル
【図１】
2017146631.tif 000003
【図２】
2017146631.tif 000004
【図３】
2017146631.tif 000005
【図４】
2017146631.tif 000006
【図５】
2017146631.tif 000007
【図６】
2017146631.tif 000008
【図７】
2017146631.tif 000009
【図８】
2017146631.tif 000010
【図９】
2017146631.tif 000011
【図１０】
2017146631.tif 000012
【図１１】
2017146631.tif 000013